(57)【要約】      （修正有）【課題】ゲートに生体情報を読み取るためのセンサを設置することなく、よりスムーズに利用者の入退室管理を行うことができる入退室管理装置を提供することを目的とする。【解決手段】ゲートから管理区画への入退室が可能な利用者４の生体情報が記憶されている利用者ＤＢ１６と、利用者４に装着されて利用者４の生体情報を取得するメガネ型端末３と近距離無線通信を行う通信部１０と、通信部１０から生体情報を受け付ける生体情報受け付け部１１と、受け付けられた生体情報を、利用者ＤＢ１６に記憶されている生体情報と照合し、利用者４の管理区画への入退室の可否を判定する認証を行う認証部１２と、認証部１２による認証結果に基づいて利用者４の入退室を許可する場合に、ゲートの電気錠を開錠するゲート制御部１４とを備える。【選択図】図４
2019121259.tif 000002
【特許請求の範囲】
【請求項１】
ゲートから管理区画への入退室が可能な利用者の生体情報を含む利用者情報が記憶されている利用者データベースと、
利用者に装着されて前記利用者の生体情報を取得する生体情報取得端末と近距離無線通信を行う通信部と、
前記通信部から前記生体情報を受け付ける生体情報受け付け部と、
受け付けられた前記生体情報を、前記利用者データベースに記憶されている前記利用者情報と照合し、前記利用者の前記管理区画への入退室の可否を判定する認証を行う認証部と、
前記認証部による認証結果に基づいて前記利用者の入退室を許可する場合に、前記ゲートを開錠するゲート制御部と
を備えることを特徴とする入退室管理装置。
【請求項２】
請求項１に記載の入退室管理装置において、
前記利用者が前記ゲートから一定の範囲内に存在することを検出する利用者検出部と、
前記利用者検出部による検出に基づいて、前記生体情報取得端末に前記生体情報を要求する要求送出部と
をさらに備えることを特徴とする入退室管理装置。
【請求項３】
請求項２に記載に入退室管理装置において、
前記利用者検出部は、前記ゲート周辺を撮像した画像に基づいて前記利用者が前記ゲートから前記一定の範囲内に存在することを検出する
ことを特徴とする入退室管理装置。
【請求項４】
請求項２に記載の入退室管理装置において、
前記利用者検出部は、人感センサを含み、前記人感センサの検知信号により前記利用者が前記ゲートから前記一定の範囲内に存在することを検出する
ことを特徴とする入退室管理装置。
【請求項５】
請求項１に記載の入退室管理装置において、
さらに送信元の存在を示す信号である標識信号を処理する標識信号処理部を備え、
前記標識信号処理部は、前記生体情報取得端末が一定間隔で発信する前記標識信号を受信すると、前記生体情報取得端末に応答信号を送信し、
前記生体情報受け付け部は、前記応答信号を受信した前記生体情報取得端末によって送出された生体情報を前記通信部から受け付ける
ことを特徴とする入退室管理装置。
【請求項６】
請求項５に記載の入退室管理装置において、
前記標識信号処理部は、一定間隔で前記標識信号を発信して、前記生体情報取得端末から前記標識信号に対する応答信号を受信し、
前記生体情報受け付け部は、前記標識信号を受信した前記生体情報取得端末から送出された生体情報を前記通信部から受け付ける
ことを特徴とする入退室管理装置。
【請求項７】
請求項１から６のいずれか１項に記載の入退室管理装置において、
前記認証部による前記認証結果を前記生体情報取得端末に送出する認証結果送出部をさらに備えることを特徴とする入退室管理装置。
【請求項８】
利用者の生体情報を取得する生体情報取得端末と、前記生体情報取得端末と近距離無線通信を行う入退室管理装置とを備え、
前記入退室管理装置は、請求項１から７のいずれか１項に記載の入退室管理装置であって、
前記生体情報取得端末は、
前記入退室管理装置と前記近距離無線通信を確立する端末側通信部と、
前記利用者の前記生体情報を取得する生体情報取得部と、
取得された前記生体情報を記憶する生体情報記憶部と、
前記生体情報記憶部に記憶されている前記生体情報を前記入退室管理装置に送出する生体情報送出部と、
前記入退室管理装置から送出された前記認証結果を受け付ける認証結果受け付け部と、
受け付けられた前記認証結果を表示する表示部と
を備えることを特徴とする入退室管理システム。
【請求項９】
請求項８に記載の入退室管理システムにおいて、
前記生体情報取得端末は、
前記利用者による前記生体情報取得端末の着脱を判定する着脱判定部をさらに備え、
前記生体情報取得部は、前記着脱判定部が、前記生体情報取得端末が前記利用者によって装着されたと判定すると、前記利用者の前記生体情報を取得し、
前記着脱判定部は、前記生体情報取得端末が前記利用者によって取り外されたと判定すると、前記生体情報記憶部に記憶されている前記生体情報を削除する
ことを特徴とする入退室管理システム。
【請求項１０】
請求項８または請求項９に記載の入退室管理システムにおいて、
前記生体情報は、前記利用者の虹彩または網膜の情報を示す前記利用者に固有の識別情報であることを特徴とする入退室管理システム。
【発明の詳細な説明】
【技術分野】
【０００１】
本発明は、入退室管理装置および入退室管理システムに関し、特に生体情報を利用した入退室管理技術に関する。
【背景技術】
【０００２】
従来より、利用者の生体情報により入退室の管理を行う入退室管理装置が知られている。例えば、特許文献１は、管理区画に設けられたゲートのドアに、利用者の虹彩などの生体情報で生体認証を行うセンサが設置された入退室管理装置を開示している。特許文献１に記載の入退室管理装置では、管理区画での入退室を行う利用者は、センサが設置されたドアの前で、虹彩などの生体情報が読み取り可能となるように位置合わせを行う。
【先行技術文献】
【特許文献】
【０００３】
【特許文献１】特開２００５−４４１７４号公報
【特許文献２】特許第６１４４６８１号公報
【発明の概要】
【発明が解決しようとする課題】
【０００４】
しかし、特許文献１に記載された技術では、ゲートに生体情報を検出するセンサを設置する必要があり、設計上の制限がかかる上、利用者の出入りが多いゲートや、利用者の出入りの多い時間帯では、利用者がセンサの前に並んで順番待ちをしなければならない場合がある。
【０００５】
本発明は、上述した課題を解決するためになされたものであり、ゲートに生体情報を読み取るためのセンサを設置することなく、よりスムーズに利用者の入退室管理を行うことができる入退室管理装置を提供することを目的とする。
【課題を解決するための手段】
【０００６】
上述した課題を解決するために、本発明に係る入退室管理装置は、ゲートから管理区画への入退室が可能な利用者の生体情報を含む利用者情報が記憶されている利用者データベースと、利用者に装着されて前記利用者の生体情報を取得する生体情報取得端末と近距離無線通信を行う通信部と、前記通信部から前記生体情報を受け付ける生体情報受け付け部と、受け付けられた前記生体情報を、前記利用者データベースに記憶されている前記利用者情報と照合し、前記利用者の前記管理区画への入退室の可否を判定する認証を行う認証部と、前記認証部による認証結果に基づいて前記利用者の入退室を許可する場合に、前記ゲートを開錠するゲート制御部とを備えることを特徴とする。
【０００７】
また、本発明に係る入退室管理装置において、前記利用者が前記ゲートから一定の範囲内に存在することを検出する利用者検出部と、前記利用者検出部による検出に基づいて、前記生体情報取得端末に前記生体情報を要求する要求送出部とをさらに備えていてもよい。
【０００８】
また、本発明に係る入退室管理装置において、前記利用者検出部は、前記ゲート周辺を撮像した画像に基づいて前記利用者が前記ゲートから前記一定の範囲内に存在することを検出してもよい。
【０００９】
また、本発明に係る入退室管理装置において、前記利用者検出部は、人感センサを含み、前記人感センサの検知信号により前記利用者が前記ゲートから前記一定の範囲内に存在することを検出してもよい。
【００１０】
また、本発明に係る入退室管理装置において、さらに送信元の存在を示す信号である標識信号を処理する標識信号処理部を備え、前記標識信号処理部は、前記生体情報取得端末が一定間隔で発信する前記標識信号を受信すると、前記生体情報取得端末に応答信号を送信し、前記生体情報受け付け部は、前記応答信号を受信した前記生体情報取得端末によって送出された生体情報を前記通信部から受け付けてもよい。
【００１１】
また、本発明に係る入退室管理装置において、前記標識信号処理部は、一定間隔で前記標識信号を発信して、前記生体情報取得端末から前記標識信号に対する応答信号を受信し、
前記生体情報受け付け部は、前記標識信号を受信した前記生体情報取得端末から送出された生体情報を前記通信部から受け付けてもよい。
【００１２】
また、本発明に係る入退室管理装置において、前記認証部による前記認証結果を前記生体情報取得端末に送出する認証結果送出部をさらに備えていてもよい。
【００１３】
また、本発明に係る入退室管理システムは、利用者の生体情報を取得する生体情報取得端末と、前記生体情報取得端末と近距離無線通信を行う入退室管理装置とを備え、前記入退室管理装置は、上記の入退室管理装置であって、前記生体情報取得端末は、前記入退室管理装置と前記近距離無線通信を確立する端末側通信部と、前記利用者の前記生体情報を取得する生体情報取得部と、取得された前記生体情報を記憶する生体情報記憶部と、前記生体情報記憶部に記憶されている前記生体情報を前記入退室管理装置に送出する生体情報送出部と、前記入退室管理装置から送出された前記認証結果を受け付ける認証結果受け付け部と、受け付けられた前記認証結果を表示する表示部とを備えることを特徴とする。
【００１４】
また、本発明に係る入退室管理システムにおいて、前記生体情報取得端末は、前記利用者による前記生体情報取得端末の着脱を判定する着脱判定部をさらに備え、前記生体情報取得部は、前記利用者によって前記生体情報取得端末が装着されたと前記着脱判定部が判定すると、前記利用者の前記生体情報を取得し、前記着脱判定部は、前記利用者によって前記生体情報取得端末が取り外されたと判定すると、前記生体情報記憶部に記憶されている前記生体情報を削除することを特徴とする入退室管理システム。
【００１５】
また、本発明に係る入退室管理システムにおいて、前記生体情報は、前記利用者の虹彩または網膜の情報を示す前記利用者に固有の識別情報であってもよい。
【発明の効果】
【００１６】
本発明によれば、利用者の生体情報を取得した生体情報取得端末から送出された生体情報を受け付けて利用者の認証を行うので、ゲートに生体情報を読み取るためのセンサを設置することなく、よりスムーズに利用者の入退室管理を行うことができる。
【図面の簡単な説明】
【００１７】
【図１】図１は、本発明の第１の実施の形態に係る入退室管理システムの概要図である。
【図２】図２は、本発明の第１の実施の形態に係る入退室管理装置の構成を示すブロック図である。
【図３】図３は、本発明の第１の実施の形態に係るメガネ型端末の構成を示すブロック図である。
【図４】図４は、本発明の第１の実施の形態に係る入退室管理システムの機能構成を示すブロック図である。
【図５】図５は、本発明の第１の実施の形態に係る入退室管理装置の動作を説明するフローチャートである。
【図６】図６は、本発明の第１の実施の形態に係る入退室管理装置の動作を説明するシーケンス図である。
【図７】図７は、本発明の第１の実施の形態に係るメガネ型端末における表示例を示す図である。
【図８】図８は、本発明の第２の実施の形態に係る入退室管理システムの構成を示すブロック図である。
【図９】図９は、本発明の第２の実施の形態に係る入退室管理装置の動作を説明するシーケンス図である。
【図１０】図１０は、本発明の第３の実施の形態に係る入退室管理装置の動作を説明するシーケンス図である。
【図１１】図１１は、本発明の第４の実施の形態に係る入退室管理システムの構成を示すブロック図である。
【図１２】図１２は、本発明の第４の実施の形態に係る入退室管理装置の動作を説明するシーケンス図である。
【図１３】図１３は、本発明の第５の実施の形態に係る入退室管理装置の動作を説明するシーケンス図である。
【発明を実施するための形態】
【００１８】
以下、本発明の好適な実施の形態について、図１から図１３を参照して詳細に説明する。各図について共通する構成要素には、同一の符号を付し、重複した説明は省略する。また、以下の説明において、「生体情報取得端末」として「メガネ型端末」を用い、生体情報として「虹彩情報」を用いる場合を説明する。また、以下においては、入退室管理の一例として、利用者の管理区画への入室を管理する場合について説明する。
【００１９】
［第１の実施の形態］
図１は、本発明の第１の実施の形態に係る入退室管理システムの概要図である。
【００２０】
図１に示すように、本発明の第１の実施の形態に係る入退室管理システムは、入退室管理装置１と、ゲートＧＴと、メガネ型端末３とを備える。入退室管理システムは、利用者４の虹彩情報を生体情報として利用し、管理区画における利用者４の入退室を管理する。
【００２１】
入退室管理システムにおいて、メガネ型端末３は利用者４に装着されたことを検出すると、その利用者４の虹彩情報を読み取る。メガネ型端末３は、近距離無線通信により、読み取った虹彩情報を入退室管理装置１に送出する。
【００２２】
利用者４の虹彩情報を受け付けた入退室管理装置１は、虹彩情報に基づいて利用者４の管理区画への入退室の可否を判定する認証を行い、認証成功の場合には、管理区画に設置されたゲートＧＴの電気錠ＥＬを開錠する。
【００２３】
［入退室管理装置の構成］
次に、入退室管理装置１の構成について図２を参照して説明する。図２に示すように、入退室管理装置１は、バス１０１を介して接続されるＣＰＵ１０３と主記憶部１０４とを有する演算装置１０２、通信制御装置１０５、Ｉ／Ｆ１０６、記憶装置１０７を備えるコンピュータと、これらのハードウェア資源を制御するプログラムによって実現することができる。また、入退室管理装置１は、伝送路Ｌを介してゲートＧＴと接続している。
【００２４】
ＣＰＵ１０３と主記憶部１０４とは、演算装置１０２を構成する。主記憶部１０４には、ＣＰＵ１０３が各種制御や演算を行うためのプログラムが予め格納されている。演算装置１０２によって、後述する虹彩情報受け付け部１１、認証部１２、認証結果送出部１３、ゲート制御部１４、記録部１５などの入退室管理装置１の機能が実現される。
【００２５】
通信制御装置１０５は、入退室管理装置１と各種外部電子機器との間をネットワーク接続するための制御装置である。また、通信制御装置１０５は、近距離無線通信を介して他のコンピュータ間との通信制御を行う。近距離無線通信の例としてＢｌｕｅｔｏｏｔｈ（登録商標、以下同じ）、ＺｉｇＢｅｅ（登録商標、以下同じ）、Ｗｉ−Ｆｉ（登録商標、以下同じ）などが挙げられる。通信制御装置１０５によって後述する通信部１０の機能が実現される。
【００２６】
Ｉ／Ｆ１０６は、各種機器を接続するための入出力インターフェースであり、本実施の形態では伝送路Ｌを介してゲートＧＴが接続されている。なお、図２に示すように、ゲートＧＴには電気錠ＥＬが設置されている。また、ゲートＧＴには近距離無線通信における信号を放射し、受け取るアンテナが設置されている。
【００２７】
記憶装置１０７は、読み書き可能な記憶媒体と、その記憶媒体に対してプログラムやデータなどの各種情報を読み書きするための駆動装置とで構成されている。記憶装置１０７には、記憶媒体としてハードディスクやフラッシュメモリなどの半導体メモリを使用することができる。記憶装置１０７は、利用者ＤＢ１０７ａ、履歴ＤＢ１０７ｂ、プログラム格納部１０７ｃ、図示しないその他の格納装置で、例えば、この記憶装置１０７内に格納されているプログラムやデータなどをバックアップするための格納装置などを有することができる。
【００２８】
利用者ＤＢ１０７ａは、管理区画を入退室することが許可されている利用者４の生体情報を含む利用者情報が記憶されている。具体的には、利用者４に固有の識別番号などの識別情報と利用者４の虹彩情報とが関連付けて記憶されている。
【００２９】
履歴ＤＢ１０７ｂには、管理区画での利用者４による入退室の履歴が記憶されている。例えば、演算装置１０２によって実行される認証が成功すると、ゲート制御部１４がゲートＧＴの電気錠ＥＬを開錠した時刻と利用者４の識別番号などの識別情報とを関連付けて記憶する。
【００３０】
プログラム格納部１０７ｃには、本実施の形態における認証処理や、ゲート制御処理などの入退室の管理に必要な処理を実行するための各種プログラムが格納されている。
【００３１】
［メガネ型端末の構成］
次に、メガネ型端末３の構成について図３を参照して説明する。メガネ型端末３は、メガネ型の形状を有しており、利用者４の頭部に装着して使用される。メガネ型端末３は、一対のテンプルと、この一対のテンプルの一端側と接続されて、レンズ型のディスプレイ３ａを囲むリムと、ディスプレイ３ａとを備える。
【００３２】
図３に示すように、メガネ型端末３は、バス３０１を介して接続されるＣＰＵ３０３と主記憶部３０４とを有する演算装置３０２、通信制御装置３０５、Ｉ／Ｆ３０６、記憶装置３０７、表示装置３０８、着脱検出機器３０９、およびカメラ３１０を備えるコンピュータと、これらのハードウェア資源を制御するプログラムによって実現することができる。
【００３３】
メガネ型端末３のテンプルには、演算装置３０２、通信制御装置３０５、Ｉ／Ｆ３０６、記憶装置３０７、および着脱検出機器３０９が内蔵されている。また、カメラ３１０は、メガネ型端末３のリムには、カメラ３１０が配設されている。
【００３４】
ＣＰＵ３０３と主記憶部３０４とは、演算装置３０２を構成する。主記憶部３０４には、ＣＰＵ３０３が各種制御や演算を行うためのプログラムが予め格納されている。演算装置３０２によって、後述する虹彩情報取得部３２、虹彩情報送出部３３、認証結果受け付け部３４などのメガネ型端末３の機能が実現される。演算装置３０２は、主記憶部３０４に格納されているプログラムに従って、よく知られた拡張現実（ＡＲ：Ａｕｇｍｅｎｔｅｄ  Ｒｅａｌｉｔｙ）画像を生成する。
【００３５】
通信制御装置３０５は、メガネ型端末３と各種外部電子機器との間をネットワーク接続するための制御装置である。通信制御装置３０５にはアンテナが接続されている。通信制御装置３０５は、Ｂｌｕｅｔｏｏｔｈ、ＺｉｇＢｅｅ、Ｗｉ−Ｆｉなどの近距離無線通信を介して他のコンピュータ間との通信制御を行う。通信制御装置３０５によって後述する通信部３０の機能が実現される。
【００３６】
Ｉ／Ｆ３０６は、各種機器を接続するための入出力インターフェースであり、Ｉ／Ｆ３０６を介して、メガネ型端末３は、着脱検出機器３０９、カメラ３１０などの周辺機器とのデータの送受信を行う。
【００３７】
記憶装置３０７は、読み書き可能な記憶媒体と、その記憶媒体に対してプログラムやデータなどの各種情報を読み書きするための駆動装置とで構成されている。記憶装置３０７には、記憶媒体としてフラッシュメモリなどの半導体メモリを使用することができる。記憶装置３０７は、虹彩情報記憶部３０７ａ、プログラム格納部３０７ｂ、図示しないその他の格納装置で、例えば、この記憶装置３０７内に格納されているプログラムやデータなどをバックアップするための格納装置などを有することができる。
【００３８】
虹彩情報記憶部３０７ａは、利用者４の虹彩情報を記憶する。
プログラム格納部３０７ｂには、メガネ型端末３が虹彩情報を抽出するための画像処理プログラムや、ＡＲ画像を生成するためのプログラムが格納されている。
【００３９】
表示装置３０８は、メガネ型端末３のディスプレイ３ａを構成し、後述する表示部３６として機能する。表示装置３０８は透過型の液晶などによって実現される。また、表示装置３０８は、演算装置３０２によって生成されたＡＲ画像を表示する。
【００４０】
着脱検出機器３０９は、物体との接触を検知する静電容量式タッチセンサや圧力センサ、メガネ型端末３本体の形状変化によって利用者４との接触を検知する伸縮センサ、カメラ３１０で撮影された利用者４の目の画像を検知する画像センサとを組み合わせて構成される。着脱検出機器３０９は、利用者４と接触あるいは近接して配設され、利用者４による装着および取り外しを検知する検知機器である。着脱検出機器３０９によって後述する着脱判定部３１の機能が実現される。
【００４１】
カメラ３１０は、光信号を画像信号に変換して、動画や静止画像を生成することができる。より詳細には、カメラ３１０は、ＣＣＤ（電荷結合素子：Ｃｈａｒｇｅ  Ｃｏｕｐｌｅｄ  Ｄｅｖｉｃｅ）イメージセンサや、ＣＭＯＳイメージセンサなどの撮像素子を有し、撮像領域から入射する光を受光面に結像して、電気信号に変換する。また、カメラ３１０は、メガネ型端末３を装着した利用者４から放射される赤外線を検知して撮像する赤外線カメラを備えている。
【００４２】
［メガネ型端末の機能ブロック］
次に、上述したハードウェア構成を有するメガネ型端末３の機能ブロックについて説明する。図４に示すように、メガネ型端末３は、通信部３０（端末側通信部）、着脱判定部３１、虹彩情報取得部３２、虹彩情報送出部３３、認証結果受け付け部３４、虹彩情報記憶部３５、および表示部３６を備える。
【００４３】
メガネ型端末３は、利用者４に装着されると、装着されたことを検出して利用者４の虹彩情報を読み取って虹彩情報記憶部３５に記憶する。また、利用者４がメガネ型端末３を外すと、メガネ型端末３は、外されたことを検出して虹彩情報記憶部３５に記憶されている利用者４の虹彩情報を削除する。そのため、利用者４がメガネ型端末３を外す度に利用者の虹彩情報はメガネ型端末３から削除され、利用者４が装着する度に利用者４の虹彩情報が新たに読み取られる。
【００４４】
通信部３０は、入退室管理装置１との近距離無線通信を確立する通信制御装置３０５で構成される。通信部３０は、例えば、Ｂｌｕｅｔｏｏｔｈ、ＺｉｇＢｅｅ、Ｗｉ−Ｆｉなど、ゲートＧＴから数ｍの範囲で通信が可能な近距離無線通信規格に準拠した通信を行う。
【００４５】
着脱判定部３１は、利用者４によるメガネ型端末３の着脱を判定する。本実施の形態では着脱判定部３１は、図３のメガネ型端末３の構成で説明した着脱検出機器３０９によって実現される。
【００４６】
より詳細には、着脱判定部３１は、利用者４によってメガネ型端末３が装着されたことを検出すると、装着を示す判定信号を出力する。装着を示す判定信号は、虹彩情報取得部３２に入力される。また、着脱判定部３１は、利用者４によってメガネ型端末３が外されたことを検出すると、取り外しを示す判定信号を出力する。取り外しを示す判定信号に基づいて、着脱判定部３１は、後述する虹彩情報記憶部３５に記憶されている虹彩情報を削除する。
【００４７】
虹彩情報取得部３２は、着脱判定部３１によって利用者４がメガネ型端末３を装着したことを示す判定信号が入力されると、生体情報として利用者４の虹彩の情報を取得する。虹彩情報取得部３２は、図３で説明した、カメラ３１０、演算装置３０２などにより構成される。虹彩情報取得部３２は、例えば、特許文献２に記載されているような虹彩認識アルゴリズムを用いて虹彩情報を取得すればよい。
【００４８】
より具体的には、虹彩情報取得部３２は、カメラ３１０によって撮像された画像から利用者４の目を検出し、目の赤外線画像を撮像する。また、虹彩情報取得部３２は、撮像した目の画像から虹彩画像を抽出する。
【００４９】
さらに、虹彩情報取得部３２は、画像処理などを行ってコントラストを高め、ノイズを削除した虹彩画像を、２値化した虹彩コードへ変換する。虹彩情報取得部３２は、抽出された虹彩画像の画像処理を行う際に、ガボールフィルタを用いたウェーブレット変換を行って虹彩の特徴を抽出する。虹彩情報取得部３２は、変換した虹彩コードを虹彩情報として後述する虹彩情報記憶部３５に記憶する。
【００５０】
虹彩情報送出部３３は、虹彩情報記憶部３５に記憶されている虹彩情報を読み出して、入退室管理装置１に送出する。より詳細には、虹彩情報送出部３３は、メガネ型端末３と入退室管理装置１との近距離無線通信が確立すると、通信部３０に対して、入退室管理装置１に虹彩情報を送出する指示を行う。
【００５１】
認証結果受け付け部３４は、虹彩情報送出部３３が送出した利用者４の虹彩情報に基づいて入退室管理装置１が認証した結果を受け付ける。より詳細には、認証結果受け付け部３４は、通信部３０から認証結果を受け付ける。
【００５２】
虹彩情報記憶部３５は、虹彩情報取得部３２によって取得された利用者４の虹彩情報を記憶する。また、着脱判定部３１によって利用者４がメガネ型端末３を外したことを示す判定信号が出力されると、虹彩情報記憶部３５に記憶されている利用者４の虹彩情報は削除される。なお、利用者４が再びメガネ型端末３を装着すると、着脱判定部３１によって装着を示す判定信号が出力され、虹彩情報取得部３２によって再度虹彩情報が取得されて、虹彩情報記憶部３５に記憶される。
【００５３】
表示部３６は、認証結果受け付け部３４によって受け付けられた認証結果を、利用者４の現実の視界にバーチャルの画像や映像として重ねて表示する。より具体的には、メガネ型端末３を装着した利用者４の視野に、ＡＲ画像として、ホログラムによるデジタル画像の認証結果が表示される。
【００５４】
次に、図４に示す入退室管理装置１の機能ブロックを説明する。
入退室管理装置１は、予め設定された管理区画での利用者４の入退室を管理する。本実施の形態では、入退室管理装置１は、管理区画に設置されたドアなどのゲートＧＴと一体的に設置されている場合について説明するが、ゲートＧＴと入退室管理装置１とは同一ネットワーク内の離れた場所にそれぞれ設置されていてもよい。また、本実施の形態では、ゲートＧＴは管理区画に１つ設けられているが、ゲートＧＴは複数設置されていてもよい。
【００５５】
入退室管理装置１は、通信部１０、虹彩情報受け付け部１１、認証部１２、認証結果送出部１３、ゲート制御部１４、記録部１５、利用者ＤＢ１６、および履歴ＤＢ１７を備える。
【００５６】
通信部１０は、メガネ型端末３とのＢｌｕｅｔｏｏｔｈなどの近距離無線通信を確立し、メガネ型端末３との間でデータのやり取りを可能とする。
虹彩情報受け付け部１１は、メガネ型端末３から送出された利用者４の虹彩情報を通信部１０から受け付ける。
【００５７】
認証部１２は、虹彩情報受け付け部１１で受け付けられた利用者４の虹彩情報を、後述する利用者ＤＢ１６において予め登録されている虹彩情報と照合する。具体的には、認証部１２は、認証対象の利用者４の虹彩情報と一致する情報が利用者ＤＢ１６に存在する場合には、利用者４の管理区画への入退室を許可する判定を行う。入退室を許可する判定によって認証が成功する。
【００５８】
一方、利用者４の虹彩情報と一致する情報が利用者ＤＢ１６に存在しない場合には、利用者４の管理区画への入退室を許可しない判定を行う。入退室を許可しない判定によって認証は失敗となる。
【００５９】
認証結果送出部１３は、認証部１２による認証結果をメガネ型端末３に送出する。より詳細には、認証結果送出部１３は、通信部１０に対して、認証結果をメガネ型端末３に送出する指示を行う。なお、認証結果送出部１３は、認証部１２による認証結果が認証失敗となった場合にのみ、認証結果をメガネ型端末３に送出してもよい。
【００６０】
ゲート制御部１４は、認証部１２による利用者４の入退室を許可する認証結果に基づいて、ゲートＧＴの電気錠ＥＬを開錠する。
【００６１】
記録部１５は、利用者４の管理区画への入退室を記録する。より詳細には、記録部１５は、ゲート制御部１４によってゲートＧＴの電気錠ＥＬが開錠された時刻を利用者４が管理区画に入室した時刻として、後述する履歴ＤＢ１７に記録する。
【００６２】
利用者ＤＢ１６には、管理区画を入退室することが許可されている利用者４の生体情報を含む利用者情報が記憶されている。具体的には、利用者４に固有の識別番号などの識別情報と利用者４の虹彩情報とが関連付けて記憶されている。
【００６３】
履歴ＤＢ１７には、管理区画での利用者４による入退室の履歴が記憶されている。例えば、認証成功により、ゲート制御部１４がゲートＧＴの電気錠ＥＬを開錠した時刻と利用者４の識別番号などの識別情報とを関連付けて記憶する。
【００６４】
［入退室管理装置の動作］
上述した構成を有する入退室管理装置１の動作について、図５のフローチャートを参照して説明する。まず、前提として、メガネ型端末３は利用者４によって装着されている。そして、メガネ型端末３は、利用者４に装着されたことを検出して、利用者４の虹彩情報が取得し、虹彩情報記憶部３５に記憶している。
【００６５】
その後、メガネ型端末３を装着した利用者４が入退室管理装置１のゲートＧＴに向かって歩いていき、ゲートＧＴから一定の範囲内、例えば、数ｍの範囲内に入る。すると、メガネ型端末３の通信部３０と入退室管理装置１の通信部１０とは、Ｂｌｕｅｔｏｏｔｈなどの近距離無線通信を確立する（ステップＳ１）。
【００６６】
次に、入退室管理装置１の虹彩情報受け付け部１１は、メガネ型端末３から送出された利用者４の虹彩情報を受け付ける（ステップＳ２）。その後、認証部１２は、受け付けられた利用者４の虹彩情報と、利用者ＤＢ１６に登録されている虹彩情報とを照合して認証を行う（ステップＳ３）。
【００６７】
認証対象の利用者４の虹彩情報が利用者ＤＢ１６に登録されている虹彩情報と一致し、認証が成功した場合には（ステップＳ４：ＹＥＳ）、認証結果送出部１３は、認証結果をメガネ型端末３に送出する（ステップＳ５）。
【００６８】
さらに、ゲート制御部１４は、認証成功の場合には、ゲートＧＴの電気錠ＥＬを開錠する（ステップＳ６）。これにより、利用者４はゲートＧＴで立ち止まることなく、管理区画へ入室することが可能となる。
【００６９】
次に、記録部１５は、電気錠ＥＬが開錠された時刻を利用者４が管理区画へ入室した時刻として、利用者４の識別番号などの識別情報と関連付けて履歴ＤＢ１７に記録する（ステップＳ７）。
【００７０】
一方、ステップＳ４で認証部１２による認証が失敗した場合には（ステップＳ４：ＮＯ）、認証結果送出部１３は、認証失敗を示す認証結果をメガネ型端末３に送出する（ステップＳ８）。
【００７１】
［入退室管理装置の動作シーケンス］
次に、入退室管理装置１の動作シーケンスについて、図６を参照して説明する。図６に示すように、利用者４がメガネ型端末３を装着すると、メガネ型端末３は、着脱判定部３１によって利用者４に装着されたことを検出して（ステップＳ１００：ＹＥＳ）、利用者４の虹彩情報を取得する（ステップＳ１０１）。メガネ型端末３は、取得した利用者４の虹彩情報を虹彩情報記憶部３５に記憶しておく（ステップＳ１０２）。
【００７２】
その後、利用者４がメガネ型端末３を装着したまま、ゲートＧＴに向かって進んでいき、近距離無線通信が可能な範囲内に入ると、メガネ型端末３と入退室管理装置１とはＢｌｕｅｔｏｏｔｈなどの近距離無線通信を確立する（ステップＳ１０３）。
【００７３】
メガネ型端末３と入退室管理装置１との通信が確立すると、メガネ型端末３は、虹彩情報記憶部３５に記憶されている利用者４の虹彩情報を読み出して、入退室管理装置１に送出する（ステップＳ１０４）。
【００７４】
次に、入退室管理装置１は、受け付けた利用者４の虹彩情報と、利用者ＤＢ１６に登録されている虹彩情報とを照合して認証を行う（ステップＳ１０５）。認証が成功した場合には（ステップＳ１０６：ＹＥＳ）、入退室管理装置１は、入室が許可されたことを示す認証結果をメガネ型端末３に送出する（ステップＳ１０７）。
【００７５】
メガネ型端末３は、入室が許可されたことを示す認証結果を受け付けると、表示部３６において、認証結果をＡＲ画像として、利用者４の現実の視界にバーチャルの画像や映像として重ねて表示する。このように、メガネ型端末３に対して、入室が許可されたことを提示することで、利用者４は、ゲートＧＴの手前で、事前に入室が許可されゲートＧＴをそのまま通過できることを確認することができる。そのため、より利便性の高い入退室管理が実現される。
【００７６】
さらに、入退室管理装置１は、認証が成功すると、ゲートＧＴの電気錠ＥＬを開錠する（ステップＳ１０９）。その後、電気錠ＥＬが開錠した時刻を利用者４が入室した時刻として、利用者４の識別情報と関連付けて履歴ＤＢ１７に記録する（ステップＳ１１０）。
【００７７】
一方、認証が失敗した場合には（ステップＳ１０６：ＮＯ）、入退室管理装置１は、メガネ型端末３に、認証が失敗したことを示す情報を送出する（ステップＳ１１１）。その後、メガネ型端末３は、認証が失敗したことを示す情報を、ＡＲ画像として利用者４の現実の視界にバーチャルの画像や映像として重ねて表示する（ステップＳ１１２）。
【００７８】
このように、メガネ型端末３に対して、入室が許可されなかったことを提示することで、利用者４は、ゲートＧＴの手前で、事前に入室が不可となっていてゲートＧＴをそのまま通過できないことを知ることができる。そのため、よりスムーズな入退室管理が実現される。
【００７９】
また、その後に、例えば、認証が成功した利用者４がゲートＧＴを通過する。そして、利用者４がメガネ型端末３を取り外すと、メガネ型端末３の着脱判定部３１は、メガネ型端末３が取り外されたことを検出し（ステップＳ１１３：ＹＥＳ）、虹彩情報記憶部３５から利用者４の虹彩情報を削除する（ステップＳ１１４）。これにより、利用者４の個人情報である虹彩情報を適切に扱うことが可能となる。
【００８０】
ここで、メガネ型端末３における認証結果の表示例について、図７を参照して説明する。図７は、利用者４の認証が失敗した場合のメガネ型端末３における認証結果の表示例を示す図である。メガネ型端末３のディスプレイ３ａには、メガネ型端末３を装着した利用者４がゲートＧＴの手前に差し掛かったときに、利用者４の視野に、ＡＲ画像として、例えば、「入室することはできません：認証エラー」と表示される。
【００８１】
以上説明したように、第１の実施の形態によれば、入退室管理装置１はメガネ型端末３で取得された利用者４の虹彩情報を受け付けて、利用者ＤＢ１６に予め登録されている虹彩情報と照合して認証を行う。そのため、入退室管理装置１は、ゲートＧＴに虹彩などの生体情報を読み取るためのセンサを設置する必要がなく、よりスムーズな利用者４の入退室管理を行うことができる。
【００８２】
また、入退室管理装置１は認証結果をメガネ型端末３に送出するため、利用者４は、予めゲートＧＴを通過できるか否かを確認することが可能となり、よりスムーズで利便性の高い入退室管理が実現される。
【００８３】
［第２の実施の形態］
次に、本発明の第２の実施の形態について説明する。なお、以下の説明では、上述した第１の実施の形態と同じ構成については同一の符号を付し、その説明を省略する。
【００８４】
第１の実施の形態では、メガネ型端末３を装着した利用者４が、ゲートＧＴから一定の距離、すなわち近距離無線通信の通信範囲内に入ると、メガネ型端末３と入退室管理装置１との間で近距離無線通信が確立された。そして、その通信が確立すると、入退室管理装置１は、メガネ型端末３から送出された利用者４の虹彩情報を受け付けた。
【００８５】
これに対し、第２の実施の形態では、入退室管理装置１Ａは、ゲートＧＴに設置されたカメラ（図示しない）で取得されたゲートＧＴ周辺の画像に基づいて、利用者４がゲートＧＴから一定の範囲内に存在することを検出する。入退室管理装置１Ａは、利用者４を検出すると、メガネ型端末３との近距離無線通信を確立する。なお、ゲートＧＴに設けられたカメラは、入退室管理装置１Ａとメガネ型端末３との間で行われる近距離無線通信の通信範囲よりも狭い範囲内におけるゲートＧＴ周辺の画像を撮像してもよい。
【００８６】
図８は、第２の実施の形態に係る入退室管理システムの構成を示すブロック図である。図８に示すように、入退室管理装置１Ａは、利用者検出部１８と、要求送出部１９とをさらに備える。一方、メガネ型端末３は、第１の実施の形態と同じ構成を有する。
【００８７】
利用者検出部１８は、入退室管理装置１Ａに接続されているゲートＧＴに設置されたカメラなどの撮像手段から、ゲートＧＴ周辺の画像を取得する。利用者検出部１８は、撮像された画像においてよく知られた画像認識処理の技術により、人（利用者４）を認識し、さらに、利用者４がゲートＧＴの方向に体の正面を向けるなどの動作（以下、「入室動作」という。）を認識する。利用者検出部１８は、利用者４の入室動作を認識すると、通信部１０の近距離無線通信機能、例えば、Ｂｌｕｅｔｏｏｔｈ機能を起動する。
【００８８】
要求送出部１９は、利用者検出部１８が利用者４の入室動作を認識すると、利用者４が装着するメガネ型端末３に対して虹彩情報の要求を行う。より詳細には、要求送出部１９は、通信部１０に対してメガネ型端末３への虹彩情報の要求の送出を指示する。
【００８９】
次に、上記の構成を有する入退室管理装置１Ａの動作シーケンスについて、図９を参照して説明する。まず、第１の実施の形態と同様に、利用者４がメガネ型端末３を装着すると、メガネ型端末３は、着脱判定部３１によって利用者４に装着されたことを検出して（ステップＳ１００：ＹＥＳ）、利用者４の虹彩情報を取得する（ステップＳ１０１）。さらに、メガネ型端末３は、取得した利用者４の虹彩情報を虹彩情報記憶部３５に記憶しておく（ステップＳ１０２）。
【００９０】
その後、ゲートＧＴに設置されているカメラは、ゲートＧＴ周辺の画像を撮像し、入退室管理装置１Ａの利用者検出部１８に出力する。入退室管理装置１Ａは、撮像された画像を取得する（ステップＳ２０１）。
【００９１】
メガネ型端末３を装着した利用者４がゲートＧＴに近づき、管理区画へ入室するために、ゲートＧＴに対して体の正面を向ける入室動作を行うとする。この場合、入退室管理装置１Ａの利用者検出部１８は、利用者４の入室動作を認識し（ステップＳ２０２：ＹＥＳ）、通信部１０の近距離無線通信機能を起動させ、入退室管理装置１Ａはメガネ型端末３との近距離無線通信を確立する（ステップＳ２０３）。
【００９２】
次に、入退室管理装置１Ａの要求送出部１９は、メガネ型端末３に虹彩情報の要求を行う（ステップＳ２０４）。要求を受け付けたメガネ型端末３は、虹彩情報記憶部３５に記憶されている利用者４の虹彩情報を読み出して、入退室管理装置１Ａに送出する（ステップＳ１０４）。
【００９３】
その後、入退室管理装置１Ａは、第１の実施の形態と同様に、認証処理、電気錠ＥＬの開錠処理、認証結果の送出、および入退室の記録（ステップＳ１０５〜Ｓ１０７、Ｓ１０９〜Ｓ１１１）を実行する。また、メガネ型端末３についても同様に、認証結果の表示を行い、利用者４によるメガネ型端末３の取り外しに伴い、虹彩情報を虹彩情報記憶部３５から削除する（ステップＳ１０８、Ｓ１１２〜Ｓ１１４）。
【００９４】
以上説明したように、第２の実施の形態によれば、入退室管理装置１Ａは、ゲートＧＴに設置されたカメラなどの撮像手段により撮像されたゲートＧＴ周辺の画像に基づいて、利用者４が管理区画に入室しようとする動作を認識する。入退室管理装置１Ａは、利用者４の入室動作を認識すると、近距離無線通信機能を起動し、利用者４が装着するメガネ型端末３との近距離無線通信の接続を確立する。
【００９５】
これにより、入退室管理装置１Ａは、実際にゲートＧＴから管理区画に入退室しようとする利用者４のみと通信を行うため、より安定的で確実な入退室管理が可能となる。
【００９６】
［第３の実施の形態］
次に、本発明の第３の実施の形態について説明する。なお、以下の説明では、上述した第１および第２の実施の形態と同じ構成については同一の符号を付し、その説明を省略する。なお、本実施の形態に係る入退室管理装置１Ａおよびメガネ型端末３は第２の実施の形態と同じ構成を有する。
【００９７】
第２の実施の形態では、入退室管理装置１Ａは利用者検出部１８を備え、ゲートＧＴに設置されたカメラなどの撮像手段によって撮像されたゲートＧＴ周辺の画像に基づいて、入室をしようとする利用者４を認識し、利用者４が装着しているメガネ型端末３との近距離無線通信を確立する場合について説明した。
【００９８】
これに対し、第３の実施の形態では、ゲートＧＴに、よく知られた人感センサ（図示しない）が設置され、人感センサがゲートＧＴ周辺の感知範囲内で人を感知すると、その検知信号に基づいて入退室管理装置１Ａは通信部１０の近距離無線通信機能を起動する。なお、人感センサが人の接近を感知する範囲は、入退室管理装置１Ａとメガネ型端末３との間で行われる近距離無線通信の通信範囲よりも狭い範囲である。
【００９９】
利用者検出部１８は、人感センサを含み、人感センサの検知信号により利用者４がゲートＧＴから一定の範囲内に存在することを検出する。人感センサは、例えば、赤外線センサなどで構成され、所定の感知範囲において周囲の温度変化を感知することにより、人の存在を示す検知信号を出力する。
【０１００】
要求送出部１９は、利用者検出部１８によって利用者４が検出されると、ゲートＧＴから一定の範囲内に存在するメガネ型端末３に対して虹彩情報の要求を行う。
【０１０１】
次に、本実施の形態に係る入退室管理装置１Ａの動作シーケンスについて、図１０を参照して説明する。図１０に示すように、利用者４がメガネ型端末３を装着すると、メガネ型端末３は、着脱判定部３１によって利用者４に装着されたことを検出して（ステップＳ１００：ＹＥＳ）、利用者４の虹彩情報を取得する（ステップＳ１０１）。さらに、メガネ型端末３は、取得した利用者４の虹彩情報を虹彩情報記憶部３５に記憶しておく（ステップＳ１０２）。
【０１０２】
その後、メガネ型端末３を装着した利用者４がゲートＧＴ周辺に向かって歩いていく。すると、ゲートＧＴに設置された人感センサが、近距離無線通信の通信範囲より狭い感知範囲において人の接近を輻射熱などで感知し、検知信号を利用者検出部１８に出力する。入退室管理装置１Ａの利用者検出部１８は、人感センサから検知信号を取得する（Ｓ３０１）。
【０１０３】
次に、利用者検出部１８が取得した検知信号より、利用者４がゲートＧＴから一定の範囲内に存在することを検出すると（ステップＳ３０２：ＹＥＳ）、通信部１０は近距離無線通信機能を起動し、入退室管理装置１Ａと、利用者４が装着しているメガネ型端末３との近距離無線通信を確立する（ステップＳ３０３）。
【０１０４】
次に、入退室管理装置１Ａの要求送出部１９は、メガネ型端末３に対して虹彩情報の要求を行う（ステップＳ３０４）。要求を受け付けたメガネ型端末３は、利用者４の虹彩情報を入退室管理装置１Ａに送出する（ステップＳ１０４）。
【０１０５】
その後、入退室管理装置１Ａは、第１および第２の実施の形態と同様に、認証処理、電気錠ＥＬの開錠処理、認証結果の送出、および入退室の記録（ステップＳ１０５〜Ｓ１０７、Ｓ１０９〜Ｓ１１１）を実行する。また、メガネ型端末３についても同様に、認証結果の表示を行い、利用者４によるメガネ型端末３の取り外しに伴い、虹彩情報を虹彩情報記憶部３５から削除する（ステップＳ１０８、Ｓ１１２〜Ｓ１１４）。
【０１０６】
以上説明したように、第３の実施の形態によれば、入退室管理装置１Ａは、ゲートＧＴに設置された人感センサによる検知信号より、利用者４がゲートＧＴから一定の範囲内に存在することを検出し、メガネ型端末３との近距離無線通信を確立する。そのため、より安定的で確実な入退室管理が実現される。
【０１０７】
［第４の実施の形態］
次に、本発明の第４の実施の形態について説明する。なお、以下の説明では、上述した第１から第３の実施の形態と同じ構成については同一の符号を付し、その説明を省略する。
【０１０８】
第３の実施の形態では、ゲートＧＴに設置された人感センサの検知信号を用いて利用者４がゲートＧＴから一定の範囲内に存在することを検出する場合について説明した。これに対して、第４の実施の形態では、メガネ型端末３Ｂが入退室管理装置１Ｂに対してメガネ型端末３Ｂの存在を示す標識信号を発信する。
【０１０９】
図１１は、第４の実施の形態に係る入退室管理システムの構成を示すブロック図である。入退室管理装置１Ｂは、標識信号処理部２０をさらに備える。また、メガネ型端末３Ｂは、標識信号処理部３７をさらに備える。
【０１１０】
まず、メガネ型端末３Ｂが有する標識信号処理部３７は、メガネ型端末３Ｂから一定の範囲に届く標識信号を生成する。標識信号処理部３７は、通信部３０に標識信号を一定の時間間隔でブロードキャストする指示を行う。なお、標識信号には、メガネ型端末３Ｂの識別情報が含まれている。
【０１１１】
入退室管理装置１Ｂが有する標識信号処理部２０は、メガネ型端末３Ｂから発信された標識信号を受信すると、メガネ型端末３Ｂに対して応答信号を送信する。
【０１１２】
なお、標識信号処理部２０は、受信した標識信号の受信強度に基づいてメガネ型端末３ＢのゲートＧＴからの距離を特定し、ゲートＧＴからの距離が、予め設定されているゲートＧＴからの距離より短い場合に、応答信号を送信してもよい。これにより、利用者４がゲートＧＴに十分近づいて管理区画に入室しようとしている場合に、メガネ型端末３Ｂとの通信を行うことが可能となる。
【０１１３】
次に、入退室管理装置１Ｂの動作シーケンスについて、図１２を参照して説明する。第１から第３の実施の形態と同様に、利用者４がメガネ型端末３Ｂを装着すると、メガネ型端末３Ｂは、着脱判定部３１によって利用者４に装着されたことを検出して（ステップＳ１００：ＹＥＳ）、利用者４の虹彩情報を取得する（ステップＳ１０１）。さらに、メガネ型端末３Ｂは、取得した利用者４の虹彩情報を虹彩情報記憶部３５に記憶しておく（ステップＳ１０２）。
【０１１４】
その後、メガネ型端末３Ｂの標識信号処理部３７は、一定の範囲に届く標識信号を一定の時間間隔で発信する。また、メガネ型端末３を装着した利用者４がゲートＧＴに向かって歩いていく。そして、メガネ型端末３Ｂから発信される標識信号の届く範囲にゲートＧＴが入ると、入退室管理装置１Ｂは標識信号を受信する（ステップＳ４０１）。
【０１１５】
標識信号を受信すると、入退室管理装置１Ｂの標識信号処理部２０は、メガネ型端末３Ｂに対して応答信号を送信する（ステップＳ４０２）。メガネ型端末３Ｂは、応答信号を受信すると、通信部３０の近距離無線通信機能を起動する。そして、メガネ型端末３Ｂと入退室管理装置１Ｂとの近距離無線通信が確立する（ステップＳ４０３）。
【０１１６】
次に、メガネ型端末３Ｂは、利用者４の虹彩情報を虹彩情報記憶部３５から読み出して、入退室管理装置１Ｂに送出する（ステップＳ１０４）。さらに、入退室管理装置１Ｂは、第１から第３の実施の形態と同様に、認証処理、電気錠ＥＬの開錠処理、認証結果の送出、および入退室の記録（ステップＳ１０５〜Ｓ１０７、Ｓ１０９〜Ｓ１１１）を実行する。また、メガネ型端末３Ｂについても同様に、認証結果の表示を行い、利用者４によるメガネ型端末３Ｂの取り外しに伴い、虹彩情報を虹彩情報記憶部３５から削除する（ステップＳ１０８、Ｓ１１２〜Ｓ１１４）。
【０１１７】
以上説明したように、第４の実施の形態によれば、メガネ型端末３Ｂはその存在を示す標識信号を一定の間隔で発信し、標識信号を受信した入退室管理装置１Ｂはメガネ型端末３に対して応答信号を送信する。さらに、応答信号を受信したメガネ型端末３Ｂは、入退室管理装置１Ｂとの近距離無線通信を確立して、利用者４の虹彩情報を送出する。そのため、入退室管理装置１Ｂは、利用者４の入退室管理をより円滑に行うことができる。
【０１１８】
また、本実施の形態に係る入退室管理装置１Ｂは、受信した標識信号の受信強度が一定の値に達しているメガネ型端末３Ｂに対して応答信号を送信する。そのため、より確実に利用者４の入退室管理を行うことができる。
【０１１９】
［第５の実施の形態］
次に、本発明の第５の実施の形態について説明する。なお、以下の説明では、上述した第１から第４の実施の形態と同じ構成については同一の符号を付し、その説明を省略する。なお、第５の実施の形態に係る入退室管理装置１Ｂおよびメガネ型端末３Ｂは、第４の実施の形態と同じ構成を有する。
【０１２０】
第４の実施の形態では、メガネ型端末３Ｂが標識信号を発信する場合について説明した。これに対して、第５の実施の形態では、入退室管理装置１Ｂが標識信号を発信する。
【０１２１】
図１３は、第５の実施の形態に係る入退室管理装置１Ｂの動作シーケンス図である。図１３に示すように、利用者４がメガネ型端末３Ｂを装着すると、メガネ型端末３Ｂは、着脱判定部３１によって利用者４に装着されたことを検出して（ステップＳ１００：ＹＥＳ）、利用者４の虹彩情報を取得する（ステップＳ１０１）。さらに、メガネ型端末３Ｂは、取得した利用者４の虹彩情報を虹彩情報記憶部３５に記憶しておく（ステップＳ１０２）。
【０１２２】
入退室管理装置１Ｂの標識信号処理部２０は、ゲートＧＴから一定の範囲に届く標識信号を一定の時間間隔で発信する。その後、メガネ型端末３を装着した利用者４がゲートＧＴ周辺に向かって歩いていく。そして、メガネ型端末３Ｂが入退室管理装置１Ｂの発信する標識信号が届く範囲に入ると、メガネ型端末３Ｂは標識信号を受信する（ステップＳ５０１）。
【０１２３】
メガネ型端末３Ｂが標識信号を受信すると、メガネ型端末３Ｂの標識信号処理部３７は、入退室管理装置１Ｂに対して応答信号を送信する（ステップＳ５０２）。入退室管理装置１Ｂは、応答信号を受信すると、通信部１０の近距離無線通信機能を起動する。その後、メガネ型端末３Ｂと入退室管理装置１Ｂとの近距離無線通信の接続が確立する（ステップＳ５０３）。
【０１２４】
その後、メガネ型端末３Ｂは、利用者４の虹彩情報を虹彩情報記憶部３５から読み出して、入退室管理装置１Ｂに送出する（ステップＳ１０４）。さらに、入退室管理装置１Ｂは、第１から第４の実施の形態と同様に、認証処理、電気錠ＥＬの開錠処理、認証結果の送出、および入退室の記録（ステップＳ１０５〜Ｓ１０７、Ｓ１０９〜Ｓ１１１）を実行する。また、メガネ型端末３Ｂについても同様に、認証結果の表示を行い、利用者４によるメガネ型端末３Ｂの取り外しに伴い、虹彩情報を虹彩情報記憶部３５から削除する（ステップＳ１０８、Ｓ１１２〜Ｓ１１４）。
【０１２５】
以上説明したように、第５の実施の形態によれば、入退室管理装置１Ｂはその存在を示す標識信号を一定の間隔で発信し、標識信号を受信したメガネ型端末３Ｂは、入退室管理装置１Ｂに対して応答信号を送信する。さらに、応答信号を受信した入退室管理装置１Ｂは、メガネ型端末３Ｂとの近距離無線通信を確立して、利用者４の虹彩情報を送出する。そのため、入退室管理装置１Ｂは、利用者４の入退室管理をより円滑に行うことが可能となる。
【０１２６】
以上、本発明の入退室管理装置、および入退室管理システムにおける実施の形態について説明したが、本発明は説明した実施の形態に限定されるものではなく、請求項に記載した発明の範囲において当業者が想定し得る各種の変形を行うことが可能である。
【０１２７】
例えば、説明した実施の形態では、生体情報として利用者４の虹彩情報を利用する場合について説明した。しかし、生体情報は、利用者４を特定することが可能な、目に関する情報であれば、虹彩情報に限られない。例えば、利用者４の網膜などの情報をメガネ型端末３から取得し、入退室管理装置１で認証を行ってもよい。
【０１２８】
また、説明した実施の形態では、生体情報取得端末としてメガネ型端末３を用いる場合について説明した。しかし、利用者４の目に関する生体情報を取得できれば、メガネ型端末３に限られない。例えば、コンタクト型のウェラブル端末によって虹彩情報などの生体情報を取得してもよい。
【０１２９】
また、説明した実施の形態では、入退室管理の例として、利用者４の管理区画への入室の管理について説明した。しかし、入退室管理装置１は、利用者４の入室管理だけでなく、退室管理や勤怠管理などを行ってもよい。
【０１３０】
また、説明した実施の形態では、メガネ型端末３が利用者４の虹彩情報のみを取得して入退室管理装置１に送出する場合について説明した。しかし、メガネ型端末３は、利用者４の虹彩情報の取得に加えて、利用者４のまばたきを検出してもよい。
【０１３１】
この場合、入退室管理装置１は、メガネ型端末３からの虹彩情報に加えて、まばたきの検出情報を受け付けた場合にのみ、認証処理を実行する。これにより、より高度なセキュリティを用いた入退室管理が可能となる。
【符号の説明】
【０１３２】
１、１Ａ、１Ｂ…入退室管理装置、３、３Ｂ…メガネ型端末、３ａ…ディスプレイ、４…利用者、１０、３０…通信部、１１…虹彩情報受け付け部、１２…認証部、１３…認証結果送出部、１４…ゲート制御部、１５…記録部、１６、１０７ａ…利用者ＤＢ、１７、１０７ｂ…履歴ＤＢ、３１…着脱判定部、３２…虹彩情報取得部、３３…虹彩情報送出部、３４…認証結果受け付け部、３５、３０７ａ…虹彩情報記憶部、３６…表示部、１０１、３０１…バス、１０２、３０２…演算装置、１０３、３０３…ＣＰＵ、１０４、３０４…主記憶部、１０５、３０５…通信制御装置、１０６、３０６…Ｉ／Ｆ、１０７、３０７…記憶装置、１０７ｃ、３０７ｂ…プログラム格納部、Ｌ…伝送路、ＧＴ…ゲート、ＥＬ…電気錠、３０８…表示装置、３０９…着脱検出機器、３１０…カメラ。
【図１】
2019121259.tif 000003
【図２】
2019121259.tif 000004
【図３】
2019121259.tif 000005
【図４】
2019121259.tif 000006
【図５】
2019121259.tif 000007
【図６】
2019121259.tif 000008
【図７】
2019121259.tif 000009
【図８】
2019121259.tif 000010
【図９】
2019121259.tif 000011
【図１０】
2019121259.tif 000012
【図１１】
2019121259.tif 000013
【図１２】
2019121259.tif 000014
【図１３】
2019121259.tif 000015